(57)【要約】【課題】本発明は魚釣用リールに関し、棚取りやシャクリの最中でも、ハンドルの巻取り操作によらずロッドの持ち手操作で釣糸の巻取りを可能とし、併せてスプールフリーを良好にした魚釣用リールを提供することを目的とする。【解決手段】リール本体の側板間に回転自在に支持したスプールを、ハンドル操作による巻取り駆動状態とフリー回転状態とに切り換えるクラッチ機構を備えた魚釣用リールに於て、上記リール本体に、補助巻取り専用モータと当該補助巻取り専用モータの操作部材を装着し、当該操作部材の変位操作で補助巻取り専用モータを駆動／停止可能とすると共に、ハンドルの巻取り操作で回転するスプールと連動回転する回転体と上記補助巻取り専用モータとの間に、補助巻取り専用モータの駆動力を回転体に伝達させる動力伝達機構を装着し、当該動力伝達機構を、前記操作部材のモータ停止操作で回転体から分離可能とした。【選択図】      図２
2004229601.tif 000002
【特許請求の範囲】
【請求項１】
リール本体の側板間に回転自在に支持したスプールを、ハンドル操作による巻取り駆動状態とフリー回転状態とに切り換えるクラッチ機構を備えた魚釣用リールに於て、
上記リール本体に、補助巻取り専用モータと当該補助巻取り専用モータの操作部材を装着し、当該操作部材の変位操作で補助巻取り専用モータを駆動／停止可能とすると共に、
ハンドルの巻取り操作で回転するスプールと連動回転する回転体と上記補助巻取り専用モータとの間に、補助巻取り専用モータの駆動力を回転体に伝達させる動力伝達機構を装着し、
当該動力伝達機構を、前記操作部材のモータ停止操作で回転体から分離可能としたことを特徴とする魚釣用リール。
【請求項２】
回転体は、反ハンドル側のスプール軸に装着されたスプールギヤであることを特徴とする請求項１記載の魚釣用リール。
【発明の詳細な説明】
【０００１】
【発明の属する技術分野】
本発明は、ルアーフィッシングや棚取りを行う船釣り等に好適な魚釣用リールに関する。
【０００２】
【従来の技術】
従来、釣法の一つとして、ルアーと称される疑似餌にアクションを与えて魚を釣るルアーフィッシングが知られており、例えば下記の特許文献１，２に開示された構造の魚釣用リールが広く使用されている。そして、この種の魚釣用リールには、リール本体の側板間に回転自在に支持したスプールを、ハンドル操作による巻取り駆動状態とフリー回転状態とに切り換えるクラッチ機構が装着されている。
【０００３】
ところで、通常、魚は一定のスピードと動きをするものに余り興味を示さない習性があることから、ルアーフィッシングでは、ロッドとリールの操作によってルアーを止めたり動かしたりする等のアクションを与えることが行われている。
そして、この場合の操作の一つとして、キャスティング後にロッドを引き上げてルアーにアクションを与え、その引き上げた分の釣糸を、ロッドを下げながら糸フケが生じないようにハンドルを回転操作してスプールに巻回する方法があり、釣人はこの一連のルアーアクションを釣場の状況に応じて何回も繰り返し行い、魚のヒッティングを待つこととなる。
【０００４】
【特許文献１】
特開平５−１０３５６８号公報（段落番号「０００９」〜「００１３」、図４）
【特許文献２】
特開平１１−４２０３２号公報（段落番号「０００８」〜「００２０」、図１）
【０００５】
【発明が解決しようとする課題】
ところで、上述の如き構造の魚釣用リールでルアーフィッシングを行う場合、釣人はルアーアクションを、ロッドを握持した手でのロッド操作と、反対側の手による巻取り操作を使い分けて行わなければならない。
【０００６】
しかし、キャスティング操作後のロッドを操作する手が伸びきっている状態や、ハンドルが下に向いている状態（手首の関係上、ロッドと共に保持しているハンドルは下を向き易い）では、他方の手が不自然な位置となって容易かつ微妙なハンドルの回転操作、即ち、巻取り操作が行えないという不具合があった。
而も、ハンドル側の手で釣場の障害物や物を掴んでいる場合、或いは片方の手でロッドを支え、他方の手で魚を取り込むための手網を持っている場合には手がふさがってしまい、ハンドル側の手で巻取り操作ができない状況が発生する。
【０００７】
また、船釣りで棚取り位置の調整を行う場合は、ハンドルで巻取り回転操作しなければならず、微妙な棚取り操作を容易に行うことができなかった。
本発明は斯かる実情に鑑み案出されたもので、棚取りやシャクリの最中でも、ハンドルの巻取り操作によらずロッドの持ち手操作で釣糸の巻取りを可能とし、併せてスプールフリーを良好にした魚釣用リールを提供することを目的とする。
【０００８】
【課題を解決するための手段】
斯かる目的を達成するため、請求項１に係る発明は、リール本体の側板間に回転自在に支持したスプールを、ハンドル操作による巻取り駆動状態とフリー回転状態とに切り換えるクラッチ機構を備えた魚釣用リールに於て、上記リール本体に、補助巻取り専用モータと当該補助巻取り専用モータの操作部材を装着し、当該操作部材の変位操作で補助巻取り専用モータを駆動／停止可能とすると共に、ハンドルの巻取り操作で回転するスプールと連動回転する回転体と上記補助巻取り専用モータとの間に、補助巻取り専用モータの駆動力を回転体に伝達させる動力伝達機構を装着し、当該動力伝達機構を、前記操作部材のモータ停止操作で回転体から分離可能としたことを特徴とする。
【０００９】
そして、請求項２に係る発明は、請求項１記載の魚釣用リールに於て、回転体は、反ハンドル側のスプール軸に装着されたスプールギヤであることを特徴とする。
【００１０】
（作用）
請求項１に係る魚釣用リールによれば、操作部材のモータ駆動操作で補助巻取り専用モータが駆動し、その駆動力が動力伝達機構により回転体に伝達されてスプールが釣糸巻取り方向に回転する。
【００１１】
従って、例えばキャスティング操作後にロッドを操作する手が伸びきり、他方の手が不自然な位置となって容易にハンドル操作が行えない場合や、片方の手でロッドを支え、他方の手で魚を取り込むための手網を持って手がふさがっているような場合に、上述の如き操作部材の操作を行うことで釣糸の微妙な補助巻取りができることとなる。
【００１２】
そして、操作部材のモータ停止操作で補助巻取り専用モータが停止し、動力伝達機構が回転体から分離するため、動力伝達機構がスプールのフリー回転性及び通常の手動巻取り操作性に支障を来すことがない。
【００１３】
【発明の実施の形態】
以下、本発明の実施形態を図面に基づいて詳細に説明する。
【００１４】
図１は請求項１及び請求項２に係る魚釣用リールの一実施形態を示し、本実施形態はルアーフィッシングに好適な両軸リールに本発明を適用したものである。
図１に於て、１，３はフレーム５の左右に取り付く側板で、当該側板１，３とフレーム５によってリール本体７が構成され、両側板１，３間にスプール軸９を介してスプール１１が回転可能に支持されている。
【００１５】
そして、側板３側に突出するスプール軸９には、当該スプール軸９に設けたクラッチ部１３に係脱自在なピニオン１５が回転可能且つその軸方向へスライド可能に取り付けられており、クラッチ部１３とピニオン１５、そして、後述するクラッチレバー１７は、スプール９を巻取り駆動状態（クラッチＯＮ）とフリー回転状態（クラッチＯＦＦ）とに切り換えるクラッチ機構を構成している。
【００１６】
クラッチレバー１７は側板３の側部後方に装着されており、従来と同様、クラッチレバー１７の操作でクラッチ部１３とピニオン１５とのクラッチ係合を係脱させて、スプール９が巻取り駆動状態とフリー回転状態とに切り換わり、このフリー回転状態でのキャスティング操作で、スプール１１に巻回された釣糸１９が繰り出されるようになっている。
【００１７】
また、図中、２１は釣糸巻取り用のハンドルで、当該ハンドル２１が連結されたハンドル軸２３に、前記ピニオン１５に噛合するドライブギヤ２５が回転可能に取り付けられている。そして、ドライブギヤ２５とハンドル軸２３は、従来周知のドラグ装置２７によって摩擦結合されており、スプール９の巻取り駆動状態でのハンドル２１の巻取り操作で、その回転力がドラグ装置２７，ドライブギヤ２５，ピニオン１５からスプール軸９に伝達されてスプール１１が巻取り方向へ回転し、また、クラッチレバー１７によるクラッチＯＦＦの操作で、既述したようにクラッチ部１３とピニオン１５とのクラッチ係合が解除されて、スプール軸９へのハンドル２１の回転力が遮断されるようになっている。
【００１８】
そして、ドラグ装置２７のドラグ力の調節は、ハンドル軸２７に装着したドラグノブ２９で行うようになっている。
更にまた、図１に於て、３１はスプール１１前方の側板１，３間に装着されたレベルワインド機構を示し、従来と同様、このレベルワインド機構３１は、ハンドル２１の巻取り操作で、ドライブギヤ２５に噛合するアイドルギヤ３３がトラバースカム軸３５を回転させることにより、トラバースカム軸３５の外周面のカム溝（図示せず）に係合する釣糸案内体３７がトラバースカム軸３５上をスプール１１の軸方向へ往復動して、スプール１１に釣糸１９を均一に巻回させる。
【００１９】
その他、３９はリール本体７上部のフレーム５に一体成形されたサムレストを示す。
而して、本実施形態に係る魚釣用リール（以下、「リール」という）４１は、上述の如き従来と同様の構成に加え、以下の如き特徴を有する。
図２は側板１を取り外したリール４１の側面図を示し、図に於て、４３は側板１内下方のフレーム５に止着された補助巻取り専用モータ（以下、「モータ」という）で、リール４１の前方に延びるそのモータ軸４５にウォームギヤ４７が取り付き、当該ウォームギヤ４７に噛合する第１のアイドルギヤ４９が、支持軸５１を介してフレーム５に回転可能に取り付けられている。
【００２０】
また、図２に示すように側板１内には、上記支持軸５１を回転中心として薄肉な板材からなる側面視略Ｌ字状のモータ操作レバー（以下、「レバー」という）５３がフレーム５に装着されており、その一端側に設けた肉厚な操作部５５が、図１に示すようにリール４１の前後方向に沿って側板１の上部に設けたスリット５７から上方に突出している。
【００２１】
そして、側板１内のレバー５３に、前記アイドルギヤ４９に常時噛合する第２のアイドルギヤ５９が支持軸６１によって取り付けられており、当該アイドルギヤ５９とアイドルギヤ４９，ウォームギヤ４７は、モータ４３の駆動力を後述するスプールギヤ（回転体）６３に伝達させる動力伝達機構６５を構成する。そして、レバー５３とフレーム５側に設けたコイルスプリング取付部６７との間にコイルスプリング６９が張架されており、レバー５３は、当該コイルスプリング６９のバネ力で前記支持軸５１を中心にリール４１の前方（図中、矢印Ａ方向）へ付勢されて、アイドルギヤ５９がスプールギヤ６３から離間した状態となっている。
【００２２】
また、図１及び図２に示すように側板１内に突出する反ハンドル側のスプール軸９にはスプールギヤ６３が回止め嵌合されており、操作部５５の操作でレバー５３をコイルスプリング６９のバネ力に抗して図２の矢印Ｂ方向、即ち、図２の二点鎖線で示す位置に変位操作すると、レバー５３に取り付くアイドルギヤ５９がアイドルギヤ４９に噛合し乍ら、上記スプールギヤ６３に噛合するようになっている。
【００２３】
そして、操作部５５から手を離すと、コイルスプリング６９の復元力でレバー５３が図２の実線で示す位置に戻って、レバー５３に取り付くアイドルギヤ５９がスプールギヤ６３から離間するようになっている。
一方、図２に示すようにレバー５３の他端側には、側板１内のフレーム５に装着したリードスイッチ７１が近接配置されており、既述したように操作部５５の操作でレバー５３を図２の二点鎖線で示す位置に変位操作すると、レバー５３がリードスイッチ７１の端子７３に当接してリードスイッチ７１がＯＮとなるように構成され、斯様にリードスイッチ７３がＯＮになると、図３の定電圧ドライバー７５によって前記モータ４３が駆動する。
【００２４】
而して、この時、既述したようにアイドルギヤ５９がスプールギヤ６３に噛合しているため、斯様にモータ４３が回転すると、その回転力が動力伝達機構６５からスプールギヤ６３に伝達されて、スプール軸９が釣糸巻取り方向に回転し、これによりスプール１１が同方向に回転するようになっている。
そして、操作部５５から手を離してレバー５３がコイルスプリング６９の復元力で図２の実線で示す位置に戻ると、レバー５３の他端側が端子７３から離れてリードスイッチ７１がＯＦＦとなり、モータ４３が速やかに停止するように構成されている。
【００２５】
本実施形態はこのように構成されているから、図２に示すように操作部５５の操作でレバー５３をコイルスプリング６９のバネ力に抗して矢印Ｂ方向に変位操作すると、レバー５３に取り付くアイドルギヤ５９がアイドルギヤ４９に噛合し乍らスプールギヤ６３に噛合すると同時に、レバー５３の他端側がリードスイッチ７１の端子７３に当接してリードスイッチ７１をＯＮとするため、定電圧ドライバー７５によってモータ４３が駆動する。
【００２６】
この結果、モータ４３の回転力が動力伝達機構６５からスプールギヤ６３に伝達されてスプール軸９が釣糸巻取り方向に回転し、これによりスプール１１が釣糸巻取り方向に回転して釣糸１９がスプール１１に巻回されることとなる。
そして、操作部５５から手を離すと、コイルスプリング６９の復元力でレバー５３が図２の実線で示す位置に戻って、レバー５３に取り付くアイドルギヤ５９がスプールギヤ６３から離間すると共に、レバー５３の他端側が端子７３から離れてリードスイッチ７１がＯＦＦとなって、モータ４３が速やかに停止する。
【００２７】
従って、ルアーフィッシングを行う場合、釣人はロッドを握持する手の指先をサムレスト３９に添え、リール４１をロッドと共に握持してロッド操作を行い、反対側の手でハンドル２１による巻取り操作を行うが、例えばキャスティング操作後にロッドを操作する手が伸びきり、他方の手が不自然な位置となって容易にハンドル操作が行えない場合や、片方の手でロッドを支え、他方の手で魚を取り込むための手網を持って手がふさがっているような場合に、上述の如きレバー５３の操作を行うことで釣糸１９の巻取りができることとなる。
【００２８】
このように本実施形態は、ハンドル２１の巻取り操作によらずロッドの持ち手操作で釣糸１９の巻取りを可能とし、而も、レバー５３のモータ停止操作でスプールギヤ６３から動力伝達機構６５を分離可能として、ピニオン１５やドライブギヤ２５等の手動巻取り駆動系との分離を図ったので、スプール１１のフリー回転性及び通常の手動巻取り操作性に支障を来すことなく、釣糸１９の微妙な補助巻取り操作を、ロッド（リール４１）を保持した手の指によるワンタッチ操作で容易に行える利点を有する。
【００２９】
尚、上記実施形態では、スプール１１と連動回転する回転体としてスプールギヤ６３を使用したが、回転体は当該スプールギヤ６３に限定されるものではなく、釣糸の巻取り操作時にスプール１１と連動回転するその他の回転体を利用できることは勿論である。
【００３０】
【発明の効果】
以上述べたように、各請求項に係る発明によれば、スプールのフリー回転性及び通常の手動巻取り操作性に支障を来すことなく、釣糸の微妙な補助巻取り操作を、ロッドを保持した手の指によるワンタッチ操作で容易に行える利点を有する。
【図面の簡単な説明】
【図１】請求項１及び請求項２の一実施形態に係るリールの平面図である。
【図２】左側の側板を取り外した図１のリールの側面図である。
【図３】モータの駆動回路図である。
【符号の説明】
１，３  側板
５  フレーム
７  リール本体
９  スプール
１１  スプール軸
１７  クラッチレバー
２１  ハンドル
４１  リール
４３  モータ
４５  モータ軸
４７  ウォームギヤ
４９  第１のアイドルギヤ
５１，６１  支持軸
５３  レバー
５５  操作部
５９  第２のアイドルギヤ
６３  スプールギヤ
６５  動力伝達機構
６９  コイルスプリング
７１  リードスイッチ
７３  端子
【図１】
2004229601.tif 000003
【図２】
2004229601.tif 000004
【図３】
2004229601.tif 000005